(57)【要約】      （修正有）【課題】収納空間において部分的な高さ変更や引出しの利用を適宜選択することができ、且つ棚板の支持部によって外観を損ねず、結果、使用者は使用態様や自らの好みに合わせて自由に棚板の奥行き寸法や引出しをアレンジすることができる収納棚を提供する。【解決手段】棚板４、４を前後に分割すると共に収納棚１と略同一の幅寸法とし、枠体２を前後二本の支柱２ａ及びこ七本の横桟２ｂより構成する。横桟２ｂで棚板４の左右両端部を支持すると共に、横桟２ｂ及び前後二本の支柱２ａによって形成される略矩形の開口１０が、上下方向において棚板４の二枚分の厚さよりも大きい寸法を有し、且つ、前後方向において分割された各棚板４ａ、４ｂの前後方向よりも大きい寸法を有することにより、棚板が開口から取出可能とした。【選択図】図２
0003177004.tif 000002
【実用新案登録請求の範囲】
【請求項１】
単又は複数の着脱可能な棚板と該棚板を支持する左右の枠体とを有する収納棚であって、
前記棚板を前後に分割すると共に収納棚と略同一の幅寸法とし、
前記枠体を前後二本の支柱及びこれらの間に架設される複数の横桟より構成し、該横桟で前記棚板の左右両端部を支持すると共に、前記横桟及び前記前後二本の支柱によって形成される略矩形の開口が、上下方向において前記棚板の二枚分の厚さよりも大きい寸法を有し、且つ、前後方向において分割された各棚板の前後方向よりも大きい寸法を有することにより、前記棚板が前記開口から取出可能であることを特徴とする収納棚。
【請求項２】
前記棚板を前記前後二本の支柱間よりも前後方向に長いものとし、前記棚板の角部を前記支柱の水平断面形状に合わせて切欠いてなる請求項１記載の収納棚。
【請求項３】
前記棚板を前後方向の中央で略線対称の形状に分割してなる請求項１又は２記載の収納棚。
【請求項４】
前記二枚の枠体の上端部及び下端部に、夫々を連結する天板及び底板を固定してなる請求項１乃至３の何れか１項記載の収納棚。
【請求項５】
前記棚板を底面とする収納空間に、該棚板の上面を摺動する引出しを設けてなる請求項１乃至４の何れか１項記載の収納棚。
【請求項６】
前記引出しの底面に緩衝材を設けてなる請求項１乃至５記載の何れか１項記載の収納棚。
【考案の詳細な説明】
【技術分野】
【０００１】
本考案は、単又は複数の棚板とこれを支持する左右の枠体よりなる収納棚に関わり、更に詳しくは、棚板を前後方向に分割したことにより利便性を高めた収納棚に関するものである。
【背景技術】
【０００２】
従来、キッチンやリビング等で使用する収納棚として、分割棚板を棚の左右両面にそれぞれ多数形成した係止部に、収納物に応じ左右の高さを変えて係合するものが提案されている（例えば、特許文献１参照。）。
また、オーブン等の棚構造として、開口を有し、内部槽の内部には、複数の分割棚部材からなる棚部材と、内部槽内部に突出する棚部材支持部とが設けられ、分割棚部材は板面が所定の面を形成するように棚部材支持部の上に載置され、分割棚部材は開口から挿入可能であって挿入方向に配列しているものが提案されている（例えば、特許文献２参照。）。
【先行技術文献】
【特許文献】
【０００３】
【特許文献１】実公昭６１−１０５０２号公報
【特許文献２】特開平７−３０９４１０号公報
【考案の概要】
【考案が解決しようとする課題】
【０００４】
特許文献１記載の棚は、一間口を左右に二分割する分割棚板を収納物の高さに応じ左右の棚の係合高さを変えて棚の左右両面の係合部に係合させることにより、収納物と棚板との間隔を最小限に留めて収納効率を向上するものである。
ここで、この棚は各棚板を左右に分割しているため、各棚板は片持状に支持されることとなり、棚としての十分な強度を得ることが難しいものであった。
【０００５】
また、特許文献２記載の棚構造は、分割棚部材が内部槽内部に突出する棚部材支持部の上に載置され、隣接する二つの分割棚部材が互いに係合するための係合部を有することにより、これらの分割棚部材の連結を容易に行い得るものである。
ここで、この棚構造は、棚部材支持部が内部槽内部に突出するため、棚部材を支持しないときには物品の出し入れの邪魔となるだけでなく、外観にも悪い影響を与えるものとなっていた。
【０００６】
そこで前述の状況に鑑み本考案が解決しようとするところは、収納空間において部分的な高さ変更や引出しの利用を適宜選択することができ、且つ棚板の支持部によって外観を損ねず、結果、使用者は使用態様や自らの好みに合わせて自由に棚板の奥行き寸法や引出しをアレンジすることができる収納棚を提供する点にある。
【課題を解決するための手段】
【０００７】
本考案に係る収納棚は、前記課題解決のために、単又は複数の着脱可能な棚板と該棚板を支持する左右の枠体とを有する収納棚であって、前記棚板を前後に分割すると共に収納棚と略同一の幅寸法とし、前記枠体を前後二本の支柱及びこれらの間に架設される複数の横桟より構成し、該横桟で前記棚板の左右両端部を支持すると共に、前記横桟及び前記前後二本の支柱によって形成される略矩形の開口が、上下方向において前記棚板の二枚分の厚さよりも大きい寸法を有し、且つ、前後方向において分割された各棚板の前後方向よりも大きい寸法を有することにより、前記棚板が前記開口から取出可能となっているものである。
【０００８】
ここで、前記棚板を前記前後二本の支柱間よりも前後方向に長いものとし、前記棚板の角部を前記支柱の水平断面形状に合わせて切欠いてなると好ましい実施形態である。
【０００９】
また、前記棚板を前後方向の中央で略線対称の形状に分割してなるものが好ましい実施形態である。
【００１０】
さらに、前記二枚の枠体の上端部及び下端部に、夫々を連結する天板及び底板を固定してなるものが好ましい。
【００１１】
さらにまた、前記棚板を底面とする収納空間に、該棚板の上面を摺動する引出しを設けてなると好ましい。
【００１２】
また、前記引出しの底面に緩衝材を設けることもできる。
【考案の効果】
【００１３】
以上のように、本考案に係る収納棚によれば、棚板を前後に分割すると共に枠体の開口から分割された棚板を取り出すことができるものとしたため、棚板の着脱を容易に行うことができるうえ、収納物のサイズに合わせた収納空間の前後における部分的な高さ調整が可能となる。また、支持部が内側に突出しないため、収納物や引出しの出し入れの邪魔にならず、又、特に棚板を支持しない場合の収納棚全体の外観を損ねることもない。
これらにより、各収納空間において部分的な高さ変更や引出しの利用が可能となり、結果、使用者は使用態様や自らの好みに合わせて自由にアレンジすることができる。
【００１４】
また、前記棚板を前記前後二本の支柱間よりも前後方向に長いものとし、前記棚板の角部を前記支柱の水平断面形状に合わせて切欠いてなるものによれば、棚板を支持部に設置することで前後方向の移動が支柱によって規制されるため、棚板を簡単に安定した状態で取り付けることができる。
【００１５】
さらに、前記棚板を前後方向の中央で略線対称の形状に分割してなるものによれば、前側又は後側を考慮せず棚板を取り付けることができ、又、部品の共通化によって製造コストを低廉化することができる。
【００１６】
さらにまた、前記二枚の枠体の上端部及び下端部に、夫々を連結する天板及び底板を固定してなるものによれば、収納棚が枠体を有することで強度を高めることができ、高さのある収納棚とした場合でも安定したものとして構成することができる。
【００１７】
また、前記棚板を底面とする収納空間に、該棚板の上面を摺動する引出しを設けてなるものとすると、棚板を引出しの収納のためにも使用することができ、その結果、各収納空間を通常の棚、前側若しくは後側の分割棚、又は引出しを用いた棚に変更し、目的や用途に応じた全体構成を選択することができる。
【００１８】
さらに、前記引出しの底面に緩衝材を設けてなると、引出しを出し入れする際、棚板に傷を与える可能性が少なく棚板の外観を損ねることがない。
【図面の簡単な説明】
【００１９】
【図１】本考案の実施形態に係る収納棚を示す斜視図である。
【図２】本考案の実施形態に係る収納棚を示す分解斜視図である。
【図３】本考案の実施形態に係る収納棚を示す左側面図である。
【図４】本考案の実施形態に係る収納棚を示す背面図である。
【図５】本考案の実施形態に係る収納棚を示す底面図である。
【図６】本考案の実施形態に係る収納棚を示すＡ−Ａ線断面図である。
【図７】本考案の実施形態に係る収納棚を示すＢ−Ｂ線断面図である。
【図８】本考案の実施形態に係る収納棚の他の使用状態を示す斜視図である。
【図９】本考案の実施形態に係る収納棚の更に他の使用状態を示す斜視図である。
【考案を実施するための形態】
【００２０】
次に本考案の実施形態を添付図面に基づき詳細に説明するが、本考案は、添付図面に示された形態に限定されず実用新案登録請求の範囲に記載の要件を満たす実施形態の全てを含むものである。
また、本明細書においては、収納棚の収納物や引出しの出し入れを行う面を前面、これと反対を後面とし、収納棚の前面に向かって左右方向を定義して説明する。
【００２１】
図１及び図２に示すように、本実施形態に係る収納棚１は、二枚の着脱可能な棚板４、４と該棚板４、４を支持する左右の枠体２、２とを有する収納棚１であって、前記棚板４、４を前後に分割すると共に収納棚１と略同一の幅寸法とし、前記枠体２、２を前後二本の支柱２ａ、２ａ及びこれらの間に架設される七本の横桟２ｂ、２ｂ、２ｂ、・・・より構成し、該横桟２ｂ、２ｂ、２ｂ、・・・で前記棚板４、４の左右両端部を支持すると共に、前記横桟２ｂ、２ｂ、２ｂ、・・・及び前記前後二本の支柱２ａ、２ａによって形成される略矩形の開口１０が、上下方向において前記棚板４の二枚分の厚さよりも大きい寸法を有し、且つ、前後方向において分割された各棚板４ａ、４ｂの前後方向よりも大きい寸法を有することにより、前記棚板が前記開口から取出可能となっているものである。
【００２２】
枠体２は、図３にも示すように、七本の横桟２ｂ、２ｂ、２ｂ、・・・が平行な二本の支柱２ａ、２ａの間に支柱２ａ、２ａに対して垂直に固定されて長方形状に形成されている。全ての横桟２ｂ、２ｂ、２ｂ、・・・は支柱２ａと同一の厚さを有する板材よりなり、支柱２ａよりも収納空間側へ突出しないように位置決めされている。横桟２ｂの支柱２ａに対する高さ位置は、まず上端部及び下端部に補強用の横桟２ｂ、２ｂが固定されて長方形状を形成し、これらの中間位置に等間隔に棚板４を支持するための横桟２ｂ、２ｂ、２ｂ、・・・が固定されて、枠体２が梯子状に構成されている。支柱２ａ及び横桟２ｂによって形成される開口１０は、前棚板４ａ及び後棚板４ｂを出し入れすることができる高さ及び奥行き寸法を有するように形成されている。
また、横桟２ｂの高さ位置によって棚板４の高さ位置が決定されるため、上半部では四本の横桟２ｂ、２ｂ、２ｂ、・・・を等間隔に配置することで、上半部の各棚板４によって形成される複数の収納空間における高さを同一に設定できるものとなっている。同一高さの収納空間は外観が美しいだけでなく、同一の引出しの使用が可能であるため各引出しの入替えも可能となり、より利便性の高いものとなっている。
ここで、枠体２が梯子状に形成されていることで、収納棚１の側面に棚板４を載置されていない各横桟２ｂにフック等の係合部を有する小物や本の収納カゴを設けることもでき、又、二以上の収納棚が横に連結される場合には同じ高さ位置にある横桟２ｂ、２ｂをコ字状の金具等の係合部材で容易に連結することもできる。
【００２３】
二枚の枠体２、２の間には、上端部に天板３が、下端部に底板６が夫々固定され、これらの中間に固定棚板５が固定されて直方体状の枠体が構成されている。
【００２４】
天板３は、４本の支柱２ａ、２ａ、２ａ、・・・及び支柱２ａの上端部に水平に固定された二本の横桟２ｂ、２ｂに対して固定されていると共に、上面には耐熱用のタイル８が貼り付けられている。二本の横桟２ｂ、２ｂは天板３を支持するように固定されており、天板３の上面に載置する載置物の荷重に対しても十分な強度を有するものとなっている。また、タイル８があることで天板３上に熱せられた鍋をそのまま載置することもでき、又、汚れが付着し難く且つ容易に掃除することができるものとなっており、例えばキッチン等の汚れやすい場所における利用価値も高い。
天板３が固定されていると収納棚の強度を高くすることができるが、棚板４のように二分割され且つ一方が着脱可能で他方が固定されたものであっても良く、このように構成すると上方からの収納物の出し入れが可能となるうえ、例えば炊飯器の蒸気を上方へ逃がすこともできる。
【００２５】
棚板４は、同一の厚さを有する前棚板４ａ及び後棚板４ｂが前後に配置されて形成される。前棚板４ａ及び後棚板４ｂは両方同時に又は何れか一方のみで横桟２ｂに着脱可能に支持され、収納棚１の棚として使用される。
前棚板４ａの前側の左右角部及び後棚板４ｂの後側の左右角部には、各支柱２ａの水平断面形状に合わせた切欠きが設けられている。また、前棚板４ａ及び後棚板４ｂは線対称の形状を有する平板であり、同一部材で構成されている。つまり、前棚板４ａを表裏反対とすることで後棚板４ｂとして使用することもできる。このため、例えば前棚板４ａ及び後棚板４ｂを各二枚として収納棚１が構成されたものであっても、三枚を後棚板４ｂとして使用することもでき、棚板４の部品点数を少なくしても使用目的や使用者の好みに合わせてその形態を選択し易いものとなっている。
【００２６】
収納棚１の上下方向における略中央部には、一枚の平板状の固定棚板５が設けられている。固定棚板５は四本の支柱２ａ、２ａ、２ａ、・・・に対して固定されているため、収納棚１の強度を高くするとともに、長尺平板状の支柱２ａの撓みやズレを防止できるものとなっている。
【００２７】
収納棚１の下半部は、主に引出し７を使用するものとして構成されている。左右の枠体２、２には引出し７用のレール部材１１が設けられ、これらの上を引出し４が摺動する。レール部材１１は二本の支柱２ａ、２ａと一本の横桟２ｂに対して固定されており、引出しとこれに収容する収容物の荷重に対する十分な強度を有する。このレール部材１１が固定された横桟２ｂにも当然に棚板４が支持されるようになっているため、引出し７の使用の他、他の収納間口と同様に棚板４のみを使用した棚として使用することもできる。
【００２８】
引出し７には、サイズの異なる二種類の引出し７ａ、７ｂが存在する。これらは平面形状が同一で、高さ寸法のみ異なるものとして形成され、一方の引出し７ｂの高さ寸法は他方の引出し７ａの高さ寸法の約二倍となっている。これにより、各横桟２ｂに設けた棚板４を一段取り外すことで約二倍の高さを有する引出し７ｂの使用が可能となる。
引出し７ａは前面又は後面に持ち手となる孔を設けており、これらの孔によって引出しとして使用し易いうえ、引出し７ａ単独で収納物を他の場所へ運搬するための運搬用容器として使用することもできるものとなっている。
また、引出し７ｂの左右両側面には複数の水平方向にのびる長孔が設けられていると共に、収納棚１の枠体２の対応する部分にも開口１０が設けられているため、引出し７が収納棚１内及び単独で使用されているときに、引出し７内の通気性を良い状態で収納物を収納しておくことができる。
引出し７の底面に、棚板４を保護するための緩衝材を設けると、棚板４を傷付けることがない。このことは、同一の棚板４を引出し７の支持面として使用したり、引出し７を使用しない棚の棚板として使用したりする収納棚１においては、特に効果を発揮する。
なお、レール部材１１を、上面が横桟２ｂの上面と同一平面となるような高さに固定しても良く、この場合には当該横桟２ｂに棚板４を載置した状態の外観が良くなる。
【００２９】
図４に示すように、収納棚１の背面では、左右の枠体２、２が上下に七本の連結桟１２、１２、１２、・・・で連結されて固定されている。この連結桟１２は収納棚１の強度を向上すると共に、引出し７や収納物が収納棚１の後方に落下することも防止することができる。
【００３０】
図５に示すように、収納棚１の底面は、キャスタ９を有する一枚の平板状の底板６で構成されていると共に、当該底板６が四本の支柱２ａ、２ａ、２ａ、・・・及び支柱２ａの下端部に設けられた二本の横桟２ｂに固定されているため、収納棚１はキャスタ９によって容易に移動させることができ、強度も高いものとなっている。
【００３１】
図６及び図７に示すように、前棚板４ａ及び後棚板４ｂは横桟２ｂ上に載置されると共に、四角が四本の支柱２ａ、２ａ、２ａ、・・・によって水平方向の移動が規制されている。また、引出し７ａ、７ｂは横桟２ｂ又は底板６上に摺動可能に載置され、且つこの摺動が収納棚の後端部に位置する連結桟１２で規制されて、後方への落下が防止されている。
【００３２】
図８及び図９には、例えばペットボトル容器に入った飲料Ｐ等の高さを有する物を収納する場合の本実施形態に係る収納棚１の他の状態を示す。
まず、図８に示すように、収納棚１の上半部における前棚板４ａを全て取り外して後棚板４ｂを三枚構成すると、前側に飲料Ｐを収納することができるうえ、後側には高さを有しない物を複数段に分けて収納することができる。このとき不要となる棚板４は固定棚板５の上に載置して収納しておくことができる。
次に、収納棚１の上半部全てに前棚板４ａ及び後棚板４ｂを使用すると、下半部に飲料Ｐを収納することができ、上半部には引出し７を使用して収納物を各段に分けて整理することができる。
【００３３】
棚板４の取り外しについては、前側の二本の支柱２ａ、２ａと後棚板４ｂとの間に嵌合されている前棚板４ａを下方から持ち上げて開口１０から取り出し、その後に後棚板４ｂを下方から持ち上げて同じく開口から取り出すと、棚板４を容易に取り外すことができる。開口１０以外にも前面から取り出すこともできるが、この場合には棚板４ａ、４ｂを収納空間内で回転させる必要がある。
このため開口１０は、上下方向において棚板二枚分の厚さ寸法よりも大きい寸法を有し、且つ、前後方向において前棚板及び後棚板の前後方向の寸法よりも大きい寸法を有する。
【００３４】
なお、本実施形態においては、天板、固定棚板及び底板が四本の支柱に対して固定されたものを用いたが、これに限らず、単又は複数の着脱可能な棚板と該棚板を支持する左右の枠体とを有する収納棚であって、前記枠体を二本の支柱及びこれらの間に架設される複数の横桟より構成し、該横桟で前記棚板の左右両端部を支持したものであればよく、例えば天板等の固定板を使用せず全て着脱可能な棚板のみで構成してもよい。具体的には前棚板及び後棚板の左右両端部にフック等の一時固定用の係合部を設けて当該係合部を左右両枠体の横桟に引っ掛けて係合させて収納棚を構成したものであってもよい。このように構成すると容易且つ迅速に分解することができる。
また、収納棚は縦一列の収納棚に形成したものを用いたが、これに限らず、縦二列又はこれ以上に形成されたものであってもよい。
さらに、横桟は支柱に対して固定されていることで安定性を高めているが、必ずしも固定されている必要はなく着脱且つ高さ変更可能に構成しておくと、収納棚の高さ調整をより細かく行うことが可能となる。
さらにまた、支柱は一体的に形成されたものに限らず、長さ調整の可能なものであってもよく、例えば長手方向に連結可能に構成されることによれば、収納棚の高さ寸法を容易に変更することができる。
【符号の説明】
【００３５】
１     収納棚
２     枠体
２ａ   支柱
２ｂ   横桟
３     天板
４     棚板
４ａ   前棚板
４ｂ   後棚板
５     固定棚板
６     底板
７     引出し
７ａ   引出し（浅型）
７ａ   引出し（深型）
８     タイル
９     キャスタ
１０   開口
１１   レール部材
１２   連結桟
Ｐ     飲料
【図１】
0003177004.tif 000003
【図２】
0003177004.tif 000004
【図３】
0003177004.tif 000005
【図４】
0003177004.tif 000006
【図５】
0003177004.tif 000007
【図６】
0003177004.tif 000008
【図７】
0003177004.tif 000009
【図８】
0003177004.tif 000010
【図９】
0003177004.tif 000011